(57)【要約】【課題】カメラ本体にレンズ鏡胴をワンタッチで装着可能とする。【解決手段】カメラ本体の円形の装着凹部に円筒形のレンズ鏡胴を装着するレンズ鏡胴の装着機構である。カメラ本体側の装着凹部の内周面に係止凹部が複数箇所設けられるとともに、レンズ鏡胴の円周方向に係止凹部に対応してスナップフィットが複数箇所設けられ、これら係止凹部とスナップフィットの係合によりレンズ鏡胴がカメラ本体に装着固定される。スナップフィットとして機能する突部の回転方向における先端側とレンズ鏡胴の挿入側の面を面取りして傾斜面とすることで、より円滑なスナップインやスナップアウトが実現される。【選択図】  図１
2004354497.tif 000002
【特許請求の範囲】
【請求項１】
カメラ本体の円形の装着凹部に円筒形のレンズ鏡胴を装着するレンズ鏡胴の装着機構であって、
カメラ本体側の装着凹部の内周面に係止凹部が複数箇所設けられるとともに、レンズ鏡胴の円周方向に前記係止凹部に対応してスナップフィットが複数箇所設けられ、これら係止凹部とスナップフィットの係合によりレンズ鏡胴がカメラ本体に装着固定されることを特徴とするレンズ鏡胴の装着機構。
【請求項２】
レンズ鏡胴の挿入側円筒部が円周方向において複数に分割されて円弧状片とされるとともに、各円弧状片の一端部において根元部分が分離され径方向に弾性変位可能とされ、
この弾性変位可能な円弧状片の先端に上記スナップフィットが突部として形成されていることを特徴とする請求項１記載のレンズ鏡胴の装着機構。
【請求項３】
上記スナップフィットとして機能する突部は、円弧状片の先端側とレンズ鏡胴の挿入側の面が面取りされて傾斜面とされていることを特徴とする請求項２記載のレンズ鏡胴の装着機構。
【発明の詳細な説明】
【０００１】
【発明の属する技術分野】
本発明は、レンズ鏡胴をカメラ本体に装着するためのレンズ鏡胴の装着機構に関するものであり、スナップフィットにより簡単に装着固定可能な新規なレンズ鏡胴の装着機構に関する。
【０００２】
【従来の技術】
レンズ鏡胴のカメラ本体への装着機構としては、ＪＩＳ（日本工業規格）に記載されるように、ねじ式、かぶせ式、押さえ式の装着機構や、プラスチックのヒンジ機構を用いた装着機構等が知られている。
【０００３】
図６は、従来のねじ式の装着機構の一例を示すものである。このねじ式の装着機構では、レンズ鏡胴１０１の装着部外周面におねじ部１０２を、カメラ本体１０３の装着部内周面にめねじ部１０４をそれぞれ形成し、めねじ部１０４におねじ部１０２を螺合させることによりレンズ鏡胴１０１をカメラ本体１０３に固定するようにしている。
【０００４】
【発明が解決しようとする課題】
しかしながら、上記ねじ式の装着機構では、装着の際にレンズ鏡胴１０１を何度も回して締め付ける必要があり、装着作業が煩雑である。また、おねじ部１０２やめねじ部１０４を形成するためには、ねじ山が潰れないよう材質に制約が生じ、高コストである。さらに、ねじ式の場合、振動や衝撃が加わると次第に上記締め付けが緩む虞れもあり、極端な場合、レンズ鏡胴がカメラ本体から外れる可能性もある。他の方式についても、装着が煩雑であったり、機構自体が複雑でコスト高を招く等の欠点を有している。
【０００５】
本発明は、このような従来の実情に鑑みて提案されたものであり、カメラ本体にレンズ鏡胴をワンタッチで装着することができ、振動や衝撃で外れることがなく、しかも低コスト化することが可能な新規なレンズ鏡胴の装着機構を提供することを目的とする。
【特許文献】
特開２００２−２７７９４５号
【０００６】
【課題を解決するための手段】
上述の目的を達成するために、本発明のレンズ鏡胴の装着機構は、カメラ本体の円形の装着凹部に円筒形のレンズ鏡胴を装着するレンズ鏡胴の装着機構であって、カメラ本体側の装着凹部の内周面に係止凹部が複数箇所設けられるとともに、レンズ鏡胴の円周方向に前記係止凹部に対応してスナップフィットが複数箇所設けられ、これら係止凹部とスナップフィットの係合によりレンズ鏡胴がカメラ本体に装着固定されることを特徴とする。
【０００７】
上記構成を有する本発明のレンズ鏡胴の装着機構では、レンズ鏡胴のカメラ本体に差し込んで、僅かに回転させるだけでスナップフィットがカメラ本体の係止凹部に係合し、ワンタッチで装着固定が行われる。装着固定後は、振動や衝撃等が加わっても外れることはない。
【０００８】
また、レンズ鏡胴の挿入側円筒部を円周方向において複数に分割して円弧状片とするとともに、各円弧状片の一端部において根元部分を分離して径方向に弾性変位可能とし、この弾性変位可能な円弧状片の先端に上記スナップフィットを突部として形成し、さらには、スナップフィットとして機能する突部の円弧状片の先端側とレンズ鏡胴の挿入側の面を面取りして傾斜面とすることで、より円滑なスナップインやスナップアウトが実現される。
【０００９】
【発明の実施の形態】
以下、本発明を適用したレンズ鏡胴の装着機構について、図面を参照して詳細に説明する。
【００１０】
図１は、カメラ本体側の装着部を示すものである。カメラ本体１の装着部は、円形のフード２を有し、それにより囲まれる円形の装着凹部３に後述のレンズ鏡胴が装着される。装着凹部３の中央には、カメラ本体１に内蔵される撮像機構の光学系が臨み、レンズ鏡胴に取り付けられたレンズと対峙する。
【００１１】
円形のフード２は、例えばプラスチックからなり、その内周面の複数箇所、ここでは３箇所に係止凹部４が設けられている。各係止凹部４は矩形の凹部であり、その大きさはレンズ鏡胴のスナップフィット（突部）の大きさに対応した大きさとされている。
【００１２】
一方、図２は、レンズ鏡胴５の装着部を示すものである。レンズ鏡胴５は、上記カメラ本体１のフード２の形状に対応した円形の形状を有し、その挿入側の面には、上記フード２の装着凹部３に挿入される円筒状の挿入部６を備えている。レンズ鏡胴５の中央部分にはレンズ押さえ環７が設けられており、これによりレンズ８がレンズ鏡胴５に取り付けらている。
【００１３】
挿入部６は、やはりプラスチック等により形成され、円周方向において３分割されており、分割された各円弧状片９は、一端部において根元部分がレンズ鏡胴５から分離され、径方向に弾性変位可能とされている。そして、各円弧状片９の弾性変位可能な先端部にそれぞれ突部１０が形成され、スナップフィットとされている。
【００１４】
各突部１０は、図３に拡大して示すように、回転方向の先端側の面が面取りされて傾斜面１０ａとされるとともに、挿入側の面も面取りされて傾斜面１０ｂとされている。上記先端側の面や挿入側の面とは反対側の面は、面取りは施されていない。
【００１５】
図４は、レンズ鏡胴５をカメラ本体１の装着凹部３への装着の様子を示すものである。レンズ鏡胴５をカメラ本体１の装着凹部３へ装着するには、先ず、レンズ鏡胴５の挿入部６を装着凹部３へ押し込む。このとき、カメラ本体１のフード２のエッジにレンズ鏡胴５の各円弧状片９に設けられた突部１０が突き当たるが、先にも述べたように、突部１０の挿入側の面は面取りされて傾斜面１０ｂとされていることから、各円弧状片９が内方に弾性変位して速やかに後退する。
【００１６】
挿入後、レンズ鏡胴５を回転させ、レンズ鏡胴５の各円弧状片９に設けられた突部１０がカメラ本体１のフード２に設けられた係止凹部４の形成位置に到達すると、突部１０が係止凹部４に係合し、いわゆるスナップインによりレンズ鏡胴５がカメラ本体１に固定される。固定状態を図５に示す。
【００１７】
固定状態では、カメラ本体１のフード２に設けられた係止凹部４に突部１０が係止されており、振動や衝撃が加わっても不用意に外れることはない。その一方で、突部１０に施した面取りの作用により、レンズ鏡胴５を回転＋引き抜きで取り外しも容易である。
【００１８】
【発明の効果】
以上の説明からも明らかなように、本発明のレンズ鏡胴の装着機構によれば、カメラ本体にレンズ鏡胴をワンタッチで装着することができ、振動や衝撃で外れることがなく、しかも低コスト化することが可能な新規なレンズ鏡胴の装着機構を提供することが可能である。
【図面の簡単な説明】
【図１】カメラ本体側の斜視図である。
【図２】レンズ鏡胴背面方向の斜視図である。
【図３】スナップフィットとして機能する突部を拡大して示す平面図である。
【図４】レンズ鏡胴をカメラ本体に装着する際の様子を示す断面図である。
【図５】レンズ鏡胴をカメラ本体の装着した状態を示す断面図である。
【図６】従来のねじ式のレンズ鏡胴装着機構を示す断面図である。
【符号の説明】
１          カメラ本体
２          フード
３          装着凹部
４          係止凹部
５          レンズ鏡胴
６          挿入部
７          レンズ押さえ環
８          レンズ
９          円弧状片
１０        突部（スナップフィット）
【図１】
2004354497.tif 000003
【図２】
2004354497.tif 000004
【図３】
2004354497.tif 000005
【図４】
2004354497.tif 000006
【図５】
2004354497.tif 000007
【図６】
2004354497.tif 000008